(57)【要約】【課題】本発明は、モータサイクルの転倒を抑制しつつ、ドライバによる運転を適切に支援することができる制御装置及び制御方法を得るものである。【解決手段】本発明に係る制御装置及び制御方法では、モータサイクルにオートクルーズ減速動作を実行させる制御モードにおいて、オートクルーズ減速動作によってモータサイクルに生じる減速度である自動減速度が、モータサイクルの旋回走行中の姿勢に関連する状態量の変化率に応じて制御される。【選択図】図３
2018154273.tif 000002
【特許請求の範囲】
【請求項１】
モータサイクル（１００）の挙動を制御する制御装置（６０）であって、
前記モータサイクル（１００）の旋回走行中の姿勢に関連する状態量の変化率を取得する取得部（６１）と、
前記モータサイクル（１００）にオートクルーズ減速動作を実行させる制御モードを開始する実行部（６２）と、
を備えており、
前記制御モードにおいて、前記オートクルーズ減速動作によって前記モータサイクル（１００）に生じる減速度である自動減速度が、前記変化率に応じて制御される、
制御装置。
【請求項２】
前記制御モードにおいて、前記変化率が変化率基準値を超える場合に、前記オートクルーズ減速動作が禁止される、
請求項１に記載の制御装置。
【請求項３】
前記制御モードにおいて、前記変化率が大きい場合に、前記変化率が小さい場合に実行される前記オートクルーズ減速動作と比較して、前記自動減速度が小さい前記オートクルーズ減速動作が実行される、
請求項１又は２に記載の制御装置。
【請求項４】
前記制御モードにおいて、前記オートクルーズ減速動作中の前記モータサイクル（１００）に生じる前記自動減速度が、前記オートクルーズ減速動作中に取得される前記変化率に応じて制御される、
請求項３に記載の制御装置。
【請求項５】
前記状態量は、前記モータサイクル（１００）のリーン角を含む、
請求項１〜４のいずれか一項に記載の制御装置。
【請求項６】
前記状態量は、前記モータサイクル（１００）のリーン角の角速度を含む、
請求項１〜５のいずれか一項に記載の制御装置。
【請求項７】
前記状態量は、前記モータサイクル（１００）の操舵角を含む、
請求項１〜６のいずれか一項に記載の制御装置。
【請求項８】
前記状態量は、前記モータサイクル（１００）の操舵角の角速度を含む、
請求項１〜７のいずれか一項に記載の制御装置。
【請求項９】
前記制御モードにおいて、前記モータサイクル（１００）の車輪（３，４）に付与される制動力が制御されることによって、前記自動減速度が制御される、
請求項１〜８のいずれか一項に記載の制御装置。
【請求項１０】
前記制御モードにおいて、前記モータサイクル（１００）のエンジンの出力が制御されることによって、前記自動減速度が制御される、
請求項１〜９のいずれか一項に記載の制御装置。
【請求項１１】
前記実行部（６２）は、前記モータサイクル（１００）から先行車両までの距離が距離基準値を下回る場合に、前記制御モードを開始する、
請求項１〜１０のいずれか一項に記載の制御装置。
【請求項１２】
前記実行部（６２）は、前記モータサイクル（１００）の車体速度が速度基準値を超える場合に、前記制御モードを開始する、
請求項１〜１０のいずれか一項に記載の制御装置。
【請求項１３】
モータサイクル（１００）の挙動を制御する制御方法であって、
前記モータサイクル（１００）にオートクルーズ減速動作を実行させる制御モードを開始する実行ステップ（Ｓ１１５）と、
前記モータサイクル（１００）の旋回走行中の姿勢に関連する状態量の変化率を取得する取得ステップ（Ｓ１１７）と、
を備えており、
前記制御モードにおいて、前記オートクルーズ減速動作によって前記モータサイクル（１００）に生じる減速度である自動減速度が、前記変化率に応じて制御される、
制御方法。
【発明の詳細な説明】
【技術分野】
【０００１】
この開示は、モータサイクルの転倒を抑制しつつ、ドライバによる運転を適切に支援することができる制御装置及び制御方法に関する。
【背景技術】
【０００２】
従来のモータサイクルに関する技術として、ドライバによる運転を支援するためのものがある。
【０００３】
例えば、特許文献１では、走行方向又は実質的に走行方向にある障害物を検出するセンサ装置により検出された情報に基づいて、不適切に障害物に接近していることをモータサイクルのドライバへ警告する運転者支援システムが開示されている。
【先行技術文献】
【特許文献】
【０００４】
【特許文献１】特開２００９−１１６８８２号公報
【発明の概要】
【発明が解決しようとする課題】
【０００５】
ところで、ドライバによる運転を支援するために、モータサイクルをその挙動が少なくとも部分的に自動制御された状態で持続的に走行させる走行モードである、オートクルーズ走行モードが利用されることが考えられる。オートクルーズ走行モードでは、例えば、モータサイクルから先行車両までの距離が距離基準値に近づくように制御される。ゆえに、オートクルーズ走行モードにおいてドライバによる操作によらずに減速する動作であるオートクルーズ減速動作をモータサイクルに実行させる制御が行われる場合がある。ここで、モータサイクルは、例えば４輪を有する車両と比較して姿勢が不安定になりやすい。ゆえに、オートクルーズ減速動作によってモータサイクルに減速度が生じることに起因して、モータサイクルが転倒するおそれがあるという問題がある。
【０００６】
本発明は、上述の課題を背景としてなされたものであり、モータサイクルの転倒を抑制しつつ、ドライバによる運転を適切に支援することができる制御装置及び制御方法を得るものである。
【課題を解決するための手段】
【０００７】
本発明に係る制御装置は、モータサイクルの挙動を制御する制御装置であって、前記モータサイクルの旋回走行中の姿勢に関連する状態量の変化率を取得する取得部と、前記モータサイクルにオートクルーズ減速動作を実行させる制御モードを開始する実行部と、を備えており、前記制御モードにおいて、前記オートクルーズ減速動作によって前記モータサイクルに生じる減速度である自動減速度が、前記変化率に応じて制御される。
【０００８】
本発明に係る制御方法は、モータサイクルの挙動を制御する制御方法であって、前記モータサイクルにオートクルーズ減速動作を実行させる制御モードを開始する実行ステップと、前記モータサイクルの旋回走行中の姿勢に関連する状態量の変化率を取得する取得ステップと、備えており、前記制御モードにおいて、前記オートクルーズ減速動作によって前記モータサイクルに生じる減速度である自動減速度が、前記変化率に応じて制御される。
【発明の効果】
【０００９】
本発明に係る制御装置及び制御方法では、モータサイクルにオートクルーズ減速動作を実行させる制御モードにおいて、オートクルーズ減速動作によってモータサイクルに生じる減速度である自動減速度が、モータサイクルの旋回走行中の姿勢に関連する状態量の変化率に応じて制御される。それにより、モータサイクルの姿勢に応じて適切に自動減速度を制御することができる。よって、モータサイクルの転倒を抑制しつつ、ドライバによる運転を適切に支援することができる。
【図面の簡単な説明】
【００１０】
【図１】本発明の実施形態に係るブレーキシステムが搭載されるモータサイクルの概略構成の一例を示す模式図である。
【図２】本発明の実施形態に係るブレーキシステムの概略構成の一例を示す模式図である。
【図３】本発明の実施形態に係る制御装置の機能構成の一例を示すブロック図である。
【図４】リーン角について説明するための説明図である。
【図５】本発明の実施形態に係る制御装置が行う処理の流れの一例を示すフローチャートである。
【発明を実施するための形態】
【００１１】
以下に、本発明に係る制御装置及び制御方法について、図面を用いて説明する。なお、以下では、モータサイクルが自動二輪車である場合を説明しているが、モータサイクルは自動三輪車等の他のモータサイクルであってもよい。また、前輪制動機構及び後輪制動機構が、それぞれ１つずつである場合を説明しているが、前輪制動機構及び後輪制動機構の少なくとも一方が複数であってもよい。
【００１２】
また、以下で説明する構成及び動作等は一例であり、本発明に係る制御装置及び制御方法は、そのような構成及び動作等である場合に限定されない。
【００１３】
また、以下では、同一の又は類似する説明を適宜簡略化又は省略している。また、各図において、同一の又は類似する部材又は部分については、符号を付すことを省略しているか、又は同一の符号を付している。また、細かい構造については、適宜図示を簡略化又は省略している。
【００１４】
＜ブレーキシステムの構成＞
本発明の実施形態に係るブレーキシステム１０の構成について説明する。図１は、本発明の実施形態に係るブレーキシステム１０が搭載されるモータサイクル１００の概略構成の一例を示す模式図である。図２は、本発明の実施形態に係るブレーキシステム１０の概略構成の一例を示す模式図である。図３は、本発明の実施形態に係る制御装置６０の機能構成の一例を示すブロック図である。図４は、リーン角について説明するための説明図である。
【００１５】
図１及び図２に示されるように、ブレーキシステム１０は、モータサイクル１００に搭載される。モータサイクル１００は、胴体１と、胴体１に旋回自在に保持されているハンドル２と、胴体１にハンドル２と共に旋回自在に保持されている前輪３と、胴体１に回動自在に保持されている後輪４とを備える。
【００１６】
ブレーキシステム１０は、例えば、第１ブレーキ操作部１１と、少なくとも第１ブレーキ操作部１１に連動して前輪３を制動する前輪制動機構１２と、第２ブレーキ操作部１３と、少なくとも第２ブレーキ操作部１３に連動して後輪４を制動する後輪制動機構１４とを備える。
【００１７】
第１ブレーキ操作部１１は、ハンドル２に設けられており、ドライバの手によって操作される。第１ブレーキ操作部１１は、例えば、ブレーキレバーである。第２ブレーキ操作部１３は、胴体１の下部に設けられており、ドライバの足によって操作される。第２ブレーキ操作部１３は、例えば、ブレーキペダルである。
【００１８】
前輪制動機構１２及び後輪制動機構１４のそれぞれは、ピストン（図示省略）を内蔵しているマスタシリンダ２１と、マスタシリンダ２１に付設されているリザーバ２２と、胴体１に保持され、ブレーキパッド（図示省略）を有しているブレーキキャリパ２３と、ブレーキキャリパ２３に設けられているホイールシリンダ２４と、マスタシリンダ２１のブレーキ液をホイールシリンダ２４に流通させる主流路２５と、ホイールシリンダ２４のブレーキ液を逃がす副流路２６と、マスタシリンダ２１のブレーキ液を副流路２６に供給する供給流路２７とを備える。
【００１９】
主流路２５には、込め弁（ＥＶ）３１が設けられている。副流路２６は、主流路２５のうちの、込め弁３１に対するホイールシリンダ２４側とマスタシリンダ２１側との間をバイパスする。副流路２６には、上流側から順に、弛め弁（ＡＶ）３２と、アキュムレータ３３と、ポンプ３４とが設けられている。主流路２５のうちの、マスタシリンダ２１側の端部と、副流路２６の下流側端部が接続される箇所との間には、第１弁（ＵＳＶ）３５が設けられている。供給流路２７は、マスタシリンダ２１と、副流路２６のうちのポンプ３４の吸込側との間を連通させる。供給流路２７には、第２弁（ＨＳＶ）３６が設けられている。
【００２０】
込め弁３１は、例えば、非通電状態で開き、通電状態で閉じる電磁弁である。弛め弁３２は、例えば、非通電状態で閉じ、通電状態で開く電磁弁である。第１弁３５は、例えば、非通電状態で開き、通電状態で閉じる電磁弁である。第２弁３６は、例えば、非通電状態で閉じ、通電状態で開く電磁弁である。
【００２１】
込め弁３１、弛め弁３２、アキュムレータ３３、ポンプ３４、第１弁３５及び第２弁３６等の部材と、それらの部材が設けられ、主流路２５、副流路２６及び供給流路２７を構成するための流路が内部に形成されている基体５１と、制御装置（ＥＣＵ）６０とによって、液圧制御ユニット５０が構成される。液圧制御ユニット５０は、ブレーキシステム１０において、ホイールシリンダ２４のブレーキ液の液圧、つまり、前輪制動機構１２によって前輪３に付与される制動力及び後輪制動機構１４によって後輪４に付与される制動力を制御する機能を担うユニットである。
【００２２】
各部材が、１つの基体５１に纏めて設けられていてもよく、また、複数の基体５１に分かれて設けられていてもよい。また、制御装置６０は、１つであってもよく、また、複数に分かれていてもよい。また、制御装置６０は、基体５１に取り付けられていてもよく、また、基体５１以外の他の部材に取り付けられていてもよい。また、制御装置６０の一部又は全ては、例えば、マイコン、マイクロプロセッサユニット等で構成されてもよく、また、ファームウェア等の更新可能なもので構成されてもよく、また、ＣＰＵ等からの指令によって実行されるプログラムモジュール等であってもよい。
【００２３】
通常状態、つまり、後述されるオートクルーズ減速動作が実行されない状態では、制御装置６０によって、込め弁３１が開放され、弛め弁３２が閉鎖され、第１弁３５が開放され、第２弁３６が閉鎖される。その状態で、第１ブレーキ操作部１１が操作されると、前輪制動機構１２において、マスタシリンダ２１のピストン（図示省略）が押し込まれてホイールシリンダ２４のブレーキ液の液圧が増加し、ブレーキキャリパ２３のブレーキパッド（図示省略）が前輪３のロータ３ａに押し付けられて、前輪３に制動力が付与される。また、第２ブレーキ操作部１３が操作されると、後輪制動機構１４において、マスタシリンダ２１のピストン（図示省略）が押し込まれてホイールシリンダ２４のブレーキ液の液圧が増加し、ブレーキキャリパ２３のブレーキパッド（図示省略）が後輪４のロータ４ａに押し付けられて、後輪４に制動力が付与される。
【００２４】
図２及び図３に示されるように、ブレーキシステム１０は、例えば、マスタシリンダ圧センサ４１と、ホイールシリンダ圧センサ４２と、前輪回転速度センサ４３と、後輪回転速度センサ４４と、リーン角センサ４５と、周囲環境センサ４６と、操舵角センサ４７と、入力装置４８とを備える。各センサ及び入力装置４８は、制御装置６０と通信可能になっている。
【００２５】
マスタシリンダ圧センサ４１は、マスタシリンダ２１のブレーキ液の液圧を検出し、検出結果を出力する。マスタシリンダ圧センサ４１が、マスタシリンダ２１のブレーキ液の液圧に実質的に換算可能な他の物理量を検出するものであってもよい。マスタシリンダ圧センサ４１は、前輪制動機構１２及び後輪制動機構１４のそれぞれに設けられている。
【００２６】
ホイールシリンダ圧センサ４２は、ホイールシリンダ２４のブレーキ液の液圧を検出し、検出結果を出力する。ホイールシリンダ圧センサ４２が、ホイールシリンダ２４のブレーキ液の液圧に実質的に換算可能な他の物理量を検出するものであってもよい。ホイールシリンダ圧センサ４２は、前輪制動機構１２及び後輪制動機構１４のそれぞれに設けられている。
【００２７】
前輪回転速度センサ４３は、前輪３の回転速度を検出し、検出結果を出力する。前輪回転速度センサ４３が、前輪３の回転速度に実質的に換算可能な他の物理量を検出するものであってもよい。後輪回転速度センサ４４は、後輪４の回転速度を検出し、検出結果を出力する。後輪回転速度センサ４４が、後輪４の回転速度に実質的に換算可能な他の物理量を検出するものであってもよい。前輪回転速度センサ４３及び後輪回転速度センサ４４は、前輪３及び後輪４にそれぞれ設けられている。
【００２８】
リーン角センサ４５は、モータサイクル１００のリーン角及びリーン角の角速度を検出し、検出結果を出力する。リーン角は、例えば、図４に示されるモータサイクル１００の鉛直上方向に対するロール方向の傾きの角度θに相当する。なお、モータサイクル１００の鉛直上方向に対するロール方向の傾きは、旋回走行中に生じる。リーン角センサ４５として、具体的には、３軸のジャイロセンサ及び３方向の加速度センサを備える慣性計測装置（ＩＭＵ）が用いられる。リーン角センサ４５が、モータサイクル１００のリーン角及びリーン角の角速度に実質的に換算可能な他の物理量を検出するものであってもよい。リーン角センサ４５は、胴体１に設けられている。
【００２９】
周囲環境センサ４６は、モータサイクル１００の周囲環境を検出し、検出結果を出力する。例えば、周囲環境センサ４６は、周囲環境としてモータサイクル１００から前方を走行する先行車両までの距離を検出する。周囲環境センサ４６が、先行車両までの距離に実質的に換算可能な他の物理量を検出するものであってもよい。周囲環境センサ４６として、具体的には、モータサイクル１００の前方を撮像するカメラ又は先行車両までの距離を検出可能な測距センサが用いられる。周囲環境センサ４６は、胴体１の前部に設けられている。
【００３０】
操舵角センサ４７は、モータサイクル１００の操舵角及び操舵角の角速度を検出し、検出結果を出力する。操舵角センサ４７が、モータサイクル１００の操舵角及び操舵角の角速度に実質的に換算可能な他の物理量を検出するものであってもよい。操舵角センサ４７は、ハンドル２に設けられている。
【００３１】
入力装置４８は、ドライバによる走行モードの選択操作を受け付け、受け付けた操作を示す情報を出力する。入力装置４８は、走行モードとして、少なくともオートクルーズ走行モードを選択する選択操作を受け付ける。オートクルーズ走行モードは、モータサイクル１００をその挙動が少なくとも部分的に自動制御された状態で持続的に走行させる走行モードである。オートクルーズ走行モードでは、例えば、モータサイクル１００から先行車両までの距離が距離基準値に近づくように制御される。距離基準値は、モータサイクル１００から先行車両までの距離としてドライバの安全性を確保し得る値に設定される。なお、オートクルーズ走行モードにおいて、モータサイクル１００の車体速度が速度基準値に近づくように制御されてもよい。速度基準値は、例えば、ドライバによって適宜設定され得る。モータサイクル１００の車体速度は、前輪３及び後輪４の回転速度に基づいて算出され得る。入力装置４８として、例えば、レバー、ボタン又はタッチパネルが用いられ得る。入力装置４８は、例えば、ハンドル２に設けられている。
【００３２】
制御装置６０は、モータサイクル１００の挙動を制御する。制御装置６０は、例えば、取得部６１と、実行部６２とを備える。取得部６１は、各センサ及び入力装置４８から出力される情報を取得し、実行部６２へ出力する。実行部６２は、例えば、制御部６３と、減速要求判定部６４と、変化率判定部６５と、リーン角判定部６６とを備える。各判定部は、各センサから出力される情報を用いて各判定処理を実行する。実行部６２は、ドライバによりオートクルーズ走行モードが選択されている時に、減速要求判定部６４による判定結果に応じて、モータサイクル１００にオートクルーズ減速動作を実行させる制御モードを開始する。また、制御部６３は、制御モードにおいて、各判定部による判定結果に応じて、込め弁３１、弛め弁３２、ポンプ３４、第１弁３５及び第２弁３６等の動作を司る指令を出力することにより、オートクルーズ減速動作によってモータサイクル１００に生じる減速度である自動減速度を制御する。
【００３３】
制御部６３は、具体的には、制御モードにおいて、モータサイクル１００の旋回走行中の姿勢に関連する状態量の変化率に応じて自動減速度を制御する。また、制御部６３は、制御モードにおいて、モータサイクル１００のリーン角に応じて自動減速度を制御してもよい。なお、自動減速度の制御は、オートクルーズ減速動作中のモータサイクル１００に生じる自動減速度の制御に加えて、オートクルーズ減速動作を許可又は禁止する制御を含む。
【００３４】
制御装置６０は、記憶素子を備えており、制御装置６０が行う各処理において用いられる各基準値等の情報は、予め記憶素子に記憶されてもよい。
【００３５】
なお、オートクルーズ走行モードにおいて、ドライバによる操作によらずにモータサイクルを加速させる動作であるオートクルーズ加速動作は、例えば、制御装置６０と別体化又は一体化されている他の制御装置によって制御される。オートクルーズ加速動作中のモータサイクル１００に生じる加速度である自動加速度の制御は、他の制御装置がモータサイクル１００のエンジンの出力を制御することによって実現され得る。
【００３６】
＜ブレーキシステムの動作＞
本発明の実施形態に係るブレーキシステム１０の動作について説明する。図５は、本発明の実施形態に係る制御装置６０が行う処理の流れの一例を示すフローチャートである。図５に示される制御フローは、オートクルーズ走行モードが選択されている時において繰り返される。図５におけるステップＳ１１０及びステップＳ１９０は、制御フローの開始及び終了にそれぞれ対応する。なお、ステップＳ１１０において、制御モードが開始されていない状態で制御フローが開始される。
【００３７】
ステップＳ１１３において、減速要求判定部６４は、減速要求があるか否かを判定する。減速要求があると判定された場合（ステップＳ１１３／ＹＥＳ）、ステップＳ１１５へ進む。一方、減速要求がないと判定された場合（ステップＳ１１３／ＮＯ）、ステップＳ１１３が繰り返される。減速要求判定部６４は、例えば、モータサイクル１００から先行車両までの距離が距離基準値を下回る場合に、減速要求があると判定する。なお、オートクルーズ走行モードにおいてモータサイクル１００の車体速度が速度基準値に近づくように制御される場合、減速要求判定部６４は、モータサイクル１００の車体速度が速度基準値を超える場合に、減速要求があると判定してもよい。
【００３８】
なお、上記では、モータサイクル１００から先行車両までの距離と距離基準値との比較又はモータサイクル１００の車体速度と速度基準値との比較が減速要求判定部６４によって行われる場合を説明したが、これらの比較は、制御装置６０と異なる他の制御装置によって行われてもよい。その場合、他の制御装置から制御装置６０へこれらの比較の結果を示す情報又は減速要求があるか否かを直接的に示す情報が出力される。それにより、減速要求判定部６４による判定が実現され得る。
【００３９】
ステップＳ１１５において、実行部６２は、モータサイクル１００にオートクルーズ減速動作を実行させる制御モードを開始する。
【００４０】
次に、ステップＳ１１７において、取得部６１は、モータサイクル１００の旋回走行中の姿勢に関連する状態量の変化率を取得する。モータサイクル１００の旋回走行中の姿勢に関連する状態量は、例えば、リーン角、リーン角の角速度、操舵角又は操舵角の角速度を含む。
【００４１】
次に、ステップＳ１１９において、変化率判定部６５は、モータサイクル１００の旋回走行中の姿勢に関連する状態量の変化率が変化率基準値を超えるか否かを判定する。変化率が変化率基準値を超えていると判定された場合（ステップＳ１１９／ＹＥＳ）、ステップＳ１２７へ進む。一方、変化率が変化率基準値を超えていないと判定された場合（ステップＳ１１９／ＮＯ）、ステップＳ１２１へ進む。変化率基準値は、先行車両を回避する意思をドライバが有するか否かを判定することを実現し得る値に設定される。
【００４２】
ステップＳ１２１において、取得部６１は、モータサイクル１００のリーン角を取得する。
【００４３】
次に、ステップＳ１２３において、リーン角判定部６６は、モータサイクル１００のリーン角がリーン角基準値を超えるか否かを判定する。リーン角がリーン角基準値を超えていると判定された場合（ステップＳ１２３／ＹＥＳ）、ステップＳ１２７へ進む。一方、リーン角がリーン角基準値を超えていないと判定された場合（ステップＳ１２３／ＮＯ）、ステップＳ１２５へ進む。リーン角基準値は、モータサイクル１００に減速度を生じさせることに起因するモータサイクル１００の転倒の可能性が過剰に大きいか否かを判定することを実現し得る値であり、例えば、走行路面の摩擦係数又はモータサイクル１００の設計仕様等に応じて設定される。
【００４４】
ステップＳ１２５において、制御部６３は、オートクルーズ減速動作を許可する。オートクルーズ減速動作が許可されると、制御部６３は、ドライバによる操作によらない減速度である自動減速度を生じさせて、モータサイクル１００にオートクルーズ減速動作を実行させる。例えば、制御部６３は、前輪制動機構１２及び後輪制動機構１４の少なくとも一方によって車輪に付与される制動力を生じさせることによって、自動減速度を生じさせる。具体的には、制御部６３は、込め弁３１が開放され、弛め弁３２が閉鎖され、第１弁３５が閉鎖され、第２弁３６が開放されている状態で、ポンプ３４を駆動することで、車輪に付与される制動力を生じさせる。
【００４５】
制御部６３は、ポンプ３４の回転数を制御することによって、車輪に付与される制動力を制御する。具体的には、制御部６３は、自動減速度の目標値の基準値である基準目標減速度を算出する。例えば、制御部６３は、モータサイクル１００から先行車両までの距離と距離基準値との差が大きいほど（換言すると、モータサイクル１００が先行車両に近いほど）大きな値を基準目標減速度として算出する。なお、制御部６３は、モータサイクル１００から先行車両までの距離と距離基準値との差によらず一定の値を基準目標減速度として算出してもよい。そして、制御部６３は、算出した基準目標減速度に基づいて目標減速度を決定する。例えば、制御部６３は、基準目標減速度に係数を乗じて得られる値を目標減速度として決定する。そして、制御部６３は、目標減速度に基づいてホイールシリンダ２４のブレーキ液の液圧の目標値である目標液圧を決定する。そして、制御部６３は、ホイールシリンダ２４のブレーキ液の液圧が目標液圧と一致するようにポンプ３４の回転数を制御する。それにより、自動減速度が目標減速度と一致するように制御される。
【００４６】
なお、オートクルーズ走行モードにおいてモータサイクル１００の車体速度が速度基準値に近づくように制御される場合、制御部６３は、例えば、モータサイクル１００の車体速度と速度基準値との差が大きいほど大きな値を基準目標減速度として算出する。なお、制御部６３は、モータサイクル１００の車体速度と速度基準値との差によらず一定の値を基準目標減速度として算出してもよい。
【００４７】
なお、上記では、基準目標減速度が制御部６３によって算出される場合を説明したが、基準目標減速度は、制御装置６０と異なる他の制御装置によって算出されてもよい。その場合、他の制御装置から制御装置６０へ基準目標減速度を示す情報が出力される。それにより、制御部６３による自動減速度の制御が実現され得る。
【００４８】
例えば、制御部６３は、リーン角が大きい場合に、リーン角が小さい場合に実行されるオートクルーズ減速動作と比較して、自動減速度が小さいオートクルーズ減速動作を実行させる。具体的には、制御部６３は、リーン角が大きいほど小さい係数を基準目標減速度に乗じて得られる値を目標減速度として決定することによって、自動減速度を制御する。
【００４９】
また、例えば、制御部６３は、モータサイクル１００の旋回走行中の姿勢に関連する状態量の変化率が大きい場合に、変化率が小さい場合に実行されるオートクルーズ減速動作と比較して、自動減速度が小さいオートクルーズ減速動作を実行させる。具体的には、制御部６３は、モータサイクル１００の旋回走行中の姿勢に関連する状態量の変化率が大きいほど小さい係数を基準目標減速度に乗じて得られる値を目標減速度として決定することによって、自動減速度を制御する。
【００５０】
制御部６３は、リーン角及びモータサイクル１００の旋回走行中の姿勢に関連する状態量の変化率の双方に応じて目標減速度を決定してもよい。その場合、制御部６３は、例えば、リーン角に応じた係数及び状態量の変化率に応じた係数の双方を基準目標減速度に乗じて得られる値を目標減速度として決定する。
【００５１】
なお、上記では、制御部６３が車輪に付与される制動力を制御することによって、自動減速度を制御する場合を説明したが、制御部６３はモータサイクル１００のエンジンの出力を制御することによって、自動減速度を制御してもよい。具体的には、制御部６３は、エンジンの出力を低下させることにより生じるエンジンブレーキの作用を利用して自動減速度を制御してもよい。また、制御部６３は、車輪に付与される制動力及びエンジンの出力の双方を制御することによって、自動減速度を制御してもよい。
【００５２】
ステップＳ１２７において、制御部６３は、オートクルーズ減速動作を禁止する。オートクルーズ減速動作が禁止されると、制御部６３は、モータサイクル１００をドライバによる操作に応じて減速度が生じる通常状態にする。具体的には、制御部６３は、モータサイクル１００を込め弁３１が開放され、弛め弁３２が閉鎖され、第１弁３５が開放され、第２弁３６が閉鎖されている状態にし、ポンプ３４の駆動を禁止する。
【００５３】
ステップＳ１２５又はステップＳ１２７の次に、ステップＳ１３１において、減速要求判定部６４は、減速要求があるか否かを判定する。減速要求があると判定された場合（ステップＳ１３１／ＹＥＳ）、ステップＳ１１７へ戻る。一方、減速要求がないと判定された場合（ステップＳ１３１／ＮＯ）、ステップＳ１３３へ進む。
【００５４】
このように、ステップＳ１３１において、減速要求があると判定された場合（ステップＳ１３１／ＹＥＳ）、制御モードが継続され、ステップＳ１１７からステップＳ１３１までの処理が繰り返される。制御モードが継続される場合において、制御部６３は、変化率判定部６５及びリーン角判定部６６による判定処理（ステップＳ１１９及びステップＳ１２３）の判定結果に応じて、オートクルーズ減速動作が許可される状態と禁止される状態とを適宜切り替える。
【００５５】
オートクルーズ減速動作が許可されている状態において、ステップＳ１１９及びステップＳ１２３の判定結果がいずれもＮｏである場合、制御部６３は、オートクルーズ減速動作が許可されている状態を継続させる。この場合、例えば、制御部６３は、オートクルーズ減速動作中のモータサイクル１００に生じる自動減速度を、オートクルーズ減速動作中に取得されるリーン角に応じて制御する。また、例えば、制御部６３は、オートクルーズ減速動作中のモータサイクル１００に生じる自動減速度を、オートクルーズ減速動作中に取得されるモータサイクル１００の旋回走行中の姿勢に関連する状態量の変化率に応じて制御する。
【００５６】
オートクルーズ減速動作が許可されている状態において、ステップＳ１１９及びステップＳ１２３の判定結果の少なくとも一方がＹｅｓである場合、制御部６３は、オートクルーズ減速動作が許可されている状態を中止し、オートクルーズ減速動作を禁止する。例えば、制御部６３は、オートクルーズ減速動作中に取得されるモータサイクル１００の旋回走行中の姿勢に関連する状態量の変化率が変化率基準値を超える場合に、オートクルーズ減速動作が許可されている状態を中止し、オートクルーズ減速動作を禁止する。また、例えば、制御部６３は、オートクルーズ減速動作中に取得されるリーン角がリーン角基準値を超える場合に、オートクルーズ減速動作が許可されている状態を中止し、オートクルーズ減速動作を禁止する。
【００５７】
オートクルーズ減速動作が禁止されている状態において、ステップＳ１１９及びステップＳ１２３の判定結果の少なくとも一方がＹｅｓである場合、制御部６３は、オートクルーズ減速動作が禁止されている状態を継続させる。
【００５８】
オートクルーズ減速動作が禁止されている状態において、ステップＳ１１９及びステップＳ１２３の判定結果がいずれもＮｏである場合、制御部６３は、オートクルーズ減速動作が禁止されている状態を中止し、オートクルーズ減速動作を許可する。例えば、制御部６３は、ステップＳ１１９の判定結果がＮｏである場合において、オートクルーズ減速動作の禁止中に取得されるリーン角がリーン角基準値を下回る場合に、オートクルーズ減速動作が禁止されている状態を中止し、オートクルーズ減速動作を許可する。なお、図５に示した制御フローからステップＳ１１９の判定処理が省略されてもよい。その場合、制御部６３は、オートクルーズ減速動作の禁止中に取得されるリーン角がリーン角基準値を下回る場合に、オートクルーズ減速動作が禁止されている状態を中止し、オートクルーズ減速動作を許可する。
【００５９】
ステップＳ１３３において、実行部６２は、制御モードを終了する。
【００６０】
＜ブレーキシステムの効果＞
本発明の実施形態に係るブレーキシステム１０の効果について説明する。
【００６１】
ブレーキシステム１０では、モータサイクル１００にオートクルーズ減速動作を実行させる制御モードにおいて、モータサイクル１００の旋回走行中の姿勢に関連する状態量の変化率に応じて自動減速度が制御される。それにより、モータサイクル１００の姿勢に応じて適切に自動減速度を制御することができる。よって、モータサイクル１００の転倒を抑制しつつ、ドライバによる運転を適切に支援することができる。
【００６２】
好ましくは、ブレーキシステム１０では、制御モードにおいて、モータサイクル１００の旋回走行中の姿勢に関連する状態量の変化率が変化率基準値を超える場合に、オートクルーズ減速動作が禁止される。それにより、先行車両を回避する意思をドライバが有すると予想される場合に、オートクルーズ減速動作を禁止することができる。よって、ドライバの意思に反して自動減速度が生じることを抑制することができる。したがって、モータサイクル１００の転倒を効果的に抑制することができる。
【００６３】
なお、制御部６３は、制御モードにおいて、ドライバによるモータサイクル１００の操作についての操作量が操作量基準値を超える場合に、オートクルーズ減速動作を禁止してもよい。ドライバによるモータサイクル１００の操作は、例えば、アクセル操作、ブレーキ操作及びクラッチ操作を含む。操作量基準値は、ドライバによるモータサイクル１００の操作が行われたか否かを判定することを実現し得る値に設定される。ゆえに、操作量が操作量基準値を超える場合に、オートクルーズ減速動作を禁止することによって、ドライバによるモータサイクル１００の操作に反して自動減速度が生じることを抑制することができる。よって、モータサイクル１００の転倒を効果的に抑制することができる。
【００６４】
また、制御部６３は、制御モードにおいて、モータサイクル１００の旋回走行中の姿勢に関連する状態量の変化率が変化率基準値を超える場合に、変化率が変化率基準値を超えていない場合と比較して操作量基準値を小さくしてもよい。それにより、先行車両を回避する意思をドライバが有すると予想される場合に、ドライバによるモータサイクル１００の操作を検知する感度を向上させることができるので、オートクルーズ減速動作が禁止される確実性を向上させることができる。
【００６５】
好ましくは、ブレーキシステム１０では、制御モードにおいて、モータサイクル１００の旋回走行中の姿勢に関連する状態量の変化率が大きい場合に、変化率が小さい場合に実行されるオートクルーズ減速動作と比較して、自動減速度が小さいオートクルーズ減速動作が実行される。ここで、状態量の変化率が大きいほど、先行車両を回避する意思をドライバが有する可能性が高いと予想される。ゆえに、状態量の変化率が大きい場合に、変化率が小さい場合に実行されるオートクルーズ減速動作と比較して、自動減速度が小さいオートクルーズ減速動作を実行させることによって、先行車両を回避する意思をドライバが有する可能性に応じて適切に自動減速度を制御することができる。よって、ドライバの意思に反して自動減速度が生じることに起因するモータサイクル１００の転倒を抑制することができる。
【００６６】
好ましくは、ブレーキシステム１０では、制御モードにおいて、オートクルーズ減速動作中のモータサイクル１００に生じる自動減速度が、オートクルーズ減速動作中に取得されるモータサイクル１００の旋回走行中の姿勢に関連する状態量の変化率に応じて制御される。それにより、オートクルーズ減速動作中のモータサイクル１００に生じる自動減速度を、オートクルーズ減速動作中の状態量の変化率の時間の経過に伴う変化に応じて適切に制御することができる。よって、ドライバの意思に反して自動減速度が生じることに起因するモータサイクル１００の転倒を効果的に抑制することができる。
【００６７】
好ましくは、自動減速度の制御に用いられるモータサイクル１００の旋回走行中の姿勢に関連する状態量は、モータサイクル１００のリーン角又はリーン角の角速度を含む。それにより、リーン角センサ４５から出力される検出結果を利用して自動減速度を制御することができる。ゆえに、ブレーキシステム１０の構成から他のセンサ（例えば、操舵角センサ４７）を省略することができるので、ブレーキシステム１０を簡素化することができる。
【００６８】
好ましくは、ブレーキシステム１０では、制御モードにおいて、モータサイクル１００のリーン角に応じて自動減速度が制御される。それにより、モータサイクル１００の姿勢に応じてさらに適切に自動減速度を制御することができる。よって、モータサイクル１００の転倒を抑制しつつ、ドライバによる運転を適切に支援する効果をより増大させることができる。
【００６９】
好ましくは、ブレーキシステム１０では、制御モードにおいて、リーン角が大きい場合に、リーン角が小さい場合に実行されるオートクルーズ減速動作と比較して、自動減速度が小さいオートクルーズ減速動作が実行される。ここで、モータサイクル１００のタイヤの接地面積は、リーン角が大きいほど小さい。また、モータサイクル１００のタイヤの接地部分における摩擦特性は、リーン角が大きいほど進行方向について摩擦力を生じさせにくくなる特性を有する場合がある。ゆえに、モータサイクル１００に減速度を生じさせることに起因するモータサイクル１００の転倒の可能性は、リーン角が大きいほど大きくなりやすい。よって、リーン角が大きい場合に、リーン角が小さい場合に実行されるオートクルーズ減速動作と比較して、自動減速度が小さいオートクルーズ減速動作が実行されることによって、モータサイクル１００の転倒を効果的に抑制することができる。
【００７０】
好ましくは、ブレーキシステム１０では、制御モードにおいて、オートクルーズ減速動作中のモータサイクル１００に生じる自動減速度が、オートクルーズ減速動作中に取得されるリーン角に応じて制御される。それにより、オートクルーズ減速動作中のモータサイクル１００に生じる自動減速度を、オートクルーズ減速動作中のリーン角の時間の経過に伴う変化に応じて適切に制御することができる。例えば、オートクルーズ減速動作が実行されることに起因してリーン角が減少することに伴って、自動減速度を増大させることができる。よって、モータサイクル１００の転倒を抑制しつつ、ドライバによる運転を適切に支援する効果を増大させることができる。
【００７１】
好ましくは、ブレーキシステム１０では、制御モードにおいて、リーン角がリーン角基準値を超える場合に、オートクルーズ減速動作が禁止される。それにより、モータサイクル１００に減速度を生じさせることに起因するモータサイクル１００の転倒の可能性が過剰に大きい場合に、オートクルーズ減速動作を禁止することができる。よって、モータサイクル１００の転倒を効果的に抑制することができる。
【００７２】
好ましくは、ブレーキシステム１０では、制御モードにおいて、オートクルーズ減速動作の禁止中に取得されるリーン角がリーン角基準値を下回る場合に、オートクルーズ減速動作が許可される。それにより、オートクルーズ減速動作の禁止中であっても、モータサイクル１００に減速度を生じさせることに起因するモータサイクル１００の転倒の可能性が比較的低くなった場合に、オートクルーズ減速動作を適切に実行させることができる。よって、ドライバによる運転を適切に支援する効果を増大させることができる。
【００７３】
本発明は各実施の形態の説明に限定されない。例えば、各実施の形態の全て又は一部が組み合わされてもよく、また、各実施の形態の一部のみが実施されてもよい。また、例えば、各ステップの順序が入れ替えられてもよい。
【符号の説明】
【００７４】
１  胴体、２  ハンドル、３  前輪、３ａ  ロータ、４  後輪、４ａ  ロータ、１０  ブレーキシステム、１１  第１ブレーキ操作部、１２  前輪制動機構、１３  第２ブレーキ操作部、１４  後輪制動機構、２１  マスタシリンダ、２２  リザーバ、２３  ブレーキキャリパ、２４  ホイールシリンダ、２５  主流路、２６  副流路、２７  供給流路、３１  込め弁、３２  弛め弁、３３  アキュムレータ、３４  ポンプ、３５  第１弁、３６  第２弁、４１  マスタシリンダ圧センサ、４２  ホイールシリンダ圧センサ、４３  前輪回転速度センサ、４４  後輪回転速度センサ、４５  リーン角センサ、４６  周囲環境センサ、４７  操舵角センサ、４８  入力装置、５０  液圧制御ユニット、５１  基体、６０  制御装置、６１  取得部、６２  実行部、６３  制御部、６４  減速要求判定部、６５  変化率判定部、６６  リーン角判定部、１００  モータサイクル。
【図１】
2018154273.tif 000003
【図２】
2018154273.tif 000004
【図３】
2018154273.tif 000005
【図４】
2018154273.tif 000006
【図５】
2018154273.tif 000007